(57)【特許請求の範囲】
【請求項１】
低減された送信周期性を有する新キャリアタイプを含むアクティブ化パラメータを使用して、小型セルを、基地局を介して、構成することと、
前記新キャリアタイプと前記低減された送信周期性とに対応する時間制限付き測定値でユーザ機器（ＵＥ）を、前記基地局を介して、構成することと、
前記ＵＥから小型セル信号測定値を、前記基地局において、受信することと、
前記小型セル信号測定値に応答して前記小型セルをアクティブ化するためのアクティブ化シーケンスを、前記基地局において、開始することと
を備える、ワイヤレス通信の方法。
【請求項２】
前記アクティブ化パラメータが、前記低減された送信周期性をもつオーバーヘッド信号、前記低減された送信周期性をもつ基準信号、またはそれらの組合せのうちの少なくとも１つを構成する、請求項１に記載の方法。
【請求項３】
前記オーバーヘッド信号が、前記基地局からのオーバーヘッド信号と同じになるように構成された、請求項２に記載の方法。
【請求項４】
前記基準信号が、小型セルごとに別様に構成された、請求項２に記載の方法。
【請求項５】
メモリと、
前記メモリに結合された少なくとも１つのプロセッサと
を備える、ワイヤレス通信のための基地局であって、前記少なくとも１つのプロセッサは、
低減された送信周期性を有する新キャリアタイプを含むアクティブ化パラメータを使用して小型セルを構成することと、
前記新キャリアタイプと前記低減された送信周期性とに対応する時間制限付き測定値でユーザ機器（ＵＥ）を構成することと、
前記ＵＥから小型セル信号測定値を受信することと、
前記小型セル信号測定値に応答して前記小型セルをアクティブ化するためのアクティブ化シーケンスを開始することと
を行うように構成された、
基地局。
【請求項６】
前記アクティブ化パラメータが、前記低減された送信周期性をもつオーバーヘッド信号、前記低減された送信周期性をもつ基準信号、またはそれらの組合せのうちの少なくとも１つを構成する、請求項５に記載の基地局。
【請求項７】
前記オーバーヘッド信号が、前記基地局からのオーバーヘッド信号と同じになるように構成された、請求項６に記載の基地局。
【請求項８】
前記基準信号が、小型セルごとに別様に構成された、請求項６に記載の基地局。
【請求項９】
低減された送信周期性を有する新キャリアタイプを含むアクティブ化パラメータを使用して、小型セルを、基地局を介して、構成するための手段と、
前記新キャリアタイプと前記低減された送信周期性とに対応する時間制限付き測定値でユーザ機器（ＵＥ）を、前記基地局を介して、構成するための手段と、
前記ＵＥから小型セル信号測定値を、前記基地局において、受信するための手段と、
前記小型セル信号測定値に応答して前記小型セルをアクティブ化するためのアクティブ化シーケンスを、前記基地局において、開始するための手段と
を備える、ワイヤレス通信のための装置。
【請求項１０】
前記アクティブ化パラメータが、前記低減された送信周期性をもつオーバーヘッド信号、前記低減された送信周期性をもつ基準信号、またはそれらの組合せのうちの少なくとも１つを構成する、請求項９に記載の装置。
【請求項１１】
前記オーバーヘッド信号が、前記基地局からのオーバーヘッド信号と同じになるように構成された、請求項１０に記載の装置。
【請求項１２】
前記基準信号が、小型セルごとに別様に構成された、請求項１０に記載の装置。
【請求項１３】
プログラムコードを記録したワイヤレス通信のためのコンピュータプログラムであって、前記プログラムコードは、
低減された送信周期性を有する新キャリアタイプを含むアクティブ化パラメータを使用して小型セルを、基地局を介して、構成するためのプログラムコードと、
前記新キャリアタイプと前記低減された送信周期性とに対応する時間制限付き測定値でユーザ機器（ＵＥ）を、前記基地局を介して、構成するためのプログラムコードと、
前記ＵＥから小型セル信号測定値を、前記基地局において、受信するためのプログラムコードと、
前記小型セル信号測定値に応答して前記小型セルをアクティブ化するためのアクティブ化シーケンスを、前記基地局において、開始するためのプログラムコードと
を備える、
コンピュータプログラム。
【発明の詳細な説明】
【技術分野】
【０００１】
関連出願の相互参照
[0001]本出願は、その開示全体が参照により本明細書に明確に組み込まれる、２０１２年４月１８に出願されたRELAY ACTIVATION PROCEDUREと題する米国仮特許出願第６１／６３５，２８８号の米国特許法第１１９条（ｅ）項に基づく利益を主張する。
【０００２】
[0002]本出願は、その開示全体が参照により本明細書に明確に組み込まれる、ＤＡＭＮＪＡＮＯＶＩＣらの名義で本明細書と同じ日付に出願された、RELAY ACTIVATION PROCEDURE（Ｑｕａｌｃｏｍｍ整理番号１２２３００）と題する米国特許出願に関する。
【０００３】
[0003]本開示の態様は、一般にワイヤレス通信システムに関し、より詳細には、小型セルアクティビティ状態を制御することに関する。
【背景技術】
【０００４】
[0004]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションシステム（ＵＭＴＳ：Universal Mobile Telecommunication System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００６】
[0006]本開示の一態様では、ワイヤレス通信の方法を開示する。本方法は、アクティブ化パラメータで小型セルを構成することを含む。本方法はまた、時間制限付き測定値でユーザ機器（ＵＥ）を構成することを含む。本方法は、ＵＥから小型セル信号測定値を受信することをさらに含む。本方法はまた、小型セル信号測定値に応答してアクティブ化シーケンスを開始することを含む。
【０００７】
[0007]本開示の別の態様では、ワイヤレス通信の方法が開示される。本方法は、アクティブ化パラメータを受信することを含む本方法はまた、アクティブ化パラメータに少なくとも部分的に基づいてアクティブＵＥの近接を検出することを含む。本方法は、新キャリアタイプでアクティブ化することをさらに含む。
【０００８】
[0008]別の構成は、アクティブ化パラメータで小型セルを構成するための手段を有する装置を開示する。本装置はまた、時間制限付き測定値でＵＥを構成するための手段を含む。本装置は、ＵＥから小型セル信号測定値を受信するための手段をさらに含む。本装置はまた、小型セル信号測定値に応答してアクティブ化シーケンスを開始するための手段を含む。
【０００９】
[0009]また別の構成は、アクティブ化パラメータを受信するための手段を有する装置を開示する。本装置はまた、アクティブ化パラメータに少なくとも部分的に基づいてアクティブＵＥの近接を検出するための手段を含む。本装置は、新キャリアタイプでアクティブ化するための手段をさらに含む。
【００１０】
[0010]別の構成では、非一時的コンピュータ可読媒体を有するワイヤレスネットワークにおけるワイヤレス通信のためのコンピュータプログラム製品が開示される。本コンピュータ可読媒体は、（１つまたは複数の）プロセッサによって実行されたとき、アクティブ化パラメータで小型セルを構成する動作を（１つまたは複数の）プロセッサに実行させるプログラムコードを記録している。プログラムコードはまた、（１つまたは複数の）プロセッサに時間制限付き測定値でＵＥを構成することを行わせる。プログラムコードはさらに、（１つまたは複数の）プロセッサに、ＵＥから小型セル信号測定値を受信することを行わせる。プログラムコードはまた、（１つまたは複数の）プロセッサに、小型セル信号測定値に応答してアクティブ化シーケンスを開始することを行わせる。
【００１１】
[0011]別の構成では、非一時的コンピュータ可読媒体を有するワイヤレスネットワークにおけるワイヤレス通信のためのコンピュータプログラム製品が開示される。本コンピュータ可読媒体は、（１つまたは複数の）プロセッサによって実行されたとき、アクティブ化パラメータを受信する動作を（１つまたは複数の）プロセッサに実行させるプログラムコードを記録している。プログラムコードはまた、（１つまたは複数の）プロセッサに、アクティブ化パラメータに少なくとも部分的に基づいてアクティブＵＥの近接を検出することを行わせる。プログラムコードはさらに、（１つまたは複数の）プロセッサに、新キャリアタイプでアクティブ化することを行わせる。
【００１２】
[0012]さらにまた別の構成は、メモリと、メモリに結合された少なくとも１つのプロセッサとを有するワイヤレス装置を開示する。（１つまたは複数の）プロセッサは、アクティブ化パラメータで小型セルを構成するように構成される。（１つまたは複数の）プロセッサはさらに、時間制限付き測定値でＵＥを構成するように構成される。（１つまたは複数の）プロセッサはまた、ＵＥから小型セル信号測定値を受信するように構成される。（１つまたは複数の）プロセッサはさらに、小型セル信号測定値に応答してアクティブ化シーケンスを開始するように構成される。
【００１３】
[0013]別の構成は、メモリと、メモリに結合された少なくとも１つのプロセッサとを有するワイヤレス装置を開示する。（１つまたは複数の）プロセッサは、アクティブ化パラメータを受信するように構成される。（１つまたは複数の）プロセッサはまた、アクティブ化パラメータに少なくとも部分的に基づいてアクティブＵＥの近接を検出するように構成される。（１つまたは複数の）プロセッサはさらに、新キャリアタイプでアクティブ化するように構成される。
【００１４】
[0014]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１５】
[0015]本開示の特徴、特性、および利点は、全体を通じて同様の参照符号が同様のものを指す図面とともに、以下に記載する発明を実施するための形態を読めばより明らかになろう。
【図面の簡単な説明】
【００１６】
【図１】[0016]ネットワークアーキテクチャの一例を示す図。
【図２】[0017]アクセスネットワークの一例を示す図。
【図３】[0018]ＬＴＥにおけるダウンリンクフレーム構造の一例を示す図。
【図４】[0019]ＬＴＥにおけるアップリンクフレーム構造の一例を示す図。
【図５】[0020]ユーザプレーンおよび制御プレーンのための無線プロトコルアーキテクチャの一例を示す図。
【図６】[0021]アクセスネットワーク中の発展型ノードＢおよびユーザ機器の一例を示す図。
【図７】[0022]本開示の一態様による例示的なシステムを概念的示す図。
【図８】[0023]本開示の一態様による、例示的なプロセスを概念的に示すコールフロー図。
【図９】[0024]本開示の一態様による、例示的なプロセスを概念的に示すコールフロー図。
【図１０】[0025]本開示の一態様による、例示的なプロセスを概念的に示すコールフロー図。
【図１１】[0026]本開示の一態様による、小型セルをアクティブ化するための方法を示すブロック図。
【図１２】[0027]例示的な装置中の異なるモジュール／手段／構成要素を示すブロック図。
【発明を実施するための形態】
【００１７】
[0028]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。さらに、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸがＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈されるべきである。
【００１８】
[0029]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素をハードウェアとして実装するか、ソフトウェアとして実装するかは、特定の適用例および全体的なシステムに課された設計制約に依存する。
【００１９】
[0030]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。明快のために、本技法のいくつかの態様について、ＬＴＥまたはＬＴＥアドバンスト（ＬＴＥ−Ａ）（一緒に「ＬＴＥ」と呼ばれる）に関して説明し、説明の大部分ではそのようなＬＴＥ用語を使用する。
【００２０】
[0031]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２１】
[0032]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、アクセスポイント、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、タブレット、ネットブック、スマートブック、ｕｌｔｒａｂｏｏｋ、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２２】
[0033]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳ（パケット交換：packet switched）ストリーミングサービス（ＰＳＳ：PS Streaming Service）とを含み得る。
【００２３】
[0034]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２４】
[0035]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２５】
[0036]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２６】
[0037]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２７】
[0038]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２８】
[0039]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、Ｒ３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２９】
[0040]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３０】
[0041]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３１】
[0042]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３２】
[0043]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３３】
[0044]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３４】
[0045]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３５】
[0046]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３６】
[0047]図６は、アクセスネットワーク中でＵＥ６５０と通信しているｅノードＢ６１０のブロック図である。ダウンリンクでは、コアネットワークからの上位レイヤパケットがコントローラ／プロセッサ６７５に与えられる。コントローラ／プロセッサ６７５は、たとえば、Ｌ２レイヤの機能を実装する。ダウンリンクでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３７】
[0048]ＴＸプロセッサ６１６は、たとえば、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機／変調器６１８ＴＸを介して異なるアンテナ６２０に与えられる。各送信機６１８ＴＸは、送信のためにそれぞれの空間ストリームでＲＦキャリアを変調する。
【００３８】
[0049]ＵＥ６５０において、各受信機／復調器６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００３９】
[0050]コントローラ／プロセッサ６５９は、たとえば、Ｌ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４０】
[0051]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００４１】
[0052]ｅノードＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機／変調器６５４ＴＸを介して異なるアンテナ６５２に与えられる。各送信機６５４ＴＸは、送信のためにそれぞれの空間ストリームでＲＦキャリアを変調する。
【００４２】
[0053]アップリンク送信は、ＵＥ６５０における受信機機能に関して説明した方法と同様の方法でｅノードＢ６１０において処理される。各受信機／復調器６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、たとえば、Ｌ１レイヤを実装し得る。
【００４３】
[0054]コントローラ／プロセッサ６７５は、たとえば、Ｌ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。コントローラ／プロセッサ６７５およびコントローラ／プロセッサ６５９は、それぞれｅノードＢ６１０における動作およびＵＥ６５０における動作を指示し得る。ｅノードＢ６１０におけるコントローラ／プロセッサ６７５または他のプロセッサおよびモジュールは、本明細書で説明する技法のための様々なプロセスを実行するか、またはその実行を指示し得る。ＵＥ６５０におけるコントローラ／プロセッサ６５９または他のプロセッサおよびモジュールはまた、本明細書で説明する技法のための様々なプロセスを実行するか、またはその実行を指示し得る。メモリ６７６およびメモリ６６０は、それぞれｅノードＢ６１０およびＵＥ６５０のためのデータおよびプログラムコードを記憶し得る。
【００４４】
[0055]図６の説明は、小型セルが関係するときのｅノードＢ６１０およびＵＥ６５０に関するものであるが、装置６１０または６５０のいずれかが小型セルであり得る。たとえば、ＵＥと小型セルとの間の通信が考慮される場合、小型セルは装置６１０に対応し、小型セルとｅノードＢとの間の通信が考慮される場合、小型セルは装置６５０に対応する。
【００４５】
[0056]図７に例示的なネットワーク構造７００を示す。例示的なネットワーク構造７００は、端末またはＵＥ７０２、小型セル、中継局、またはＵｅノードＢ（ＵｅＮＢ）７０６、およびドナーｅノードＢ（ＤｅＮＢ）７１０のうちの１つまたは複数を含み得る。ＵＥ７０２およびＵｅＮＢ７０６は、アクセスリンク７０４を介して通信し得る。さらに、ＵｅＮＢ７０６およびｅノードＢ７１０は、バックホールリンク７０８を介して通信し得る。ｅノードＢ７１０は、ネットワークのバックエンド７１２にも接続され得る。ネットワークのバックエンド７１２は、ゲートウェイ、インターネット、およびネットワークコアを含み得る。小型セルは、リレーまたは中継局、ｅノードＢ、あるいはＵＥを備え得る。小型セルは、ワイヤードバックホールリンクまたはワイヤレスバックホールリンクのいずれかをもつ低電力ノードであり得る。
【００４６】
[0057]本開示の態様は小型セルアクティブ化プロシージャを対象とする。より詳細には、本開示の態様は、アップリンク（ＵＬ）送信に基づいて小型セルをアクティブ化することを対象とする。アップリンク送信は物理アップリンクチャネル送信であり、物理ランダムアクセスチャネル（ＰＲＡＣＨ）シグネチャシーケンスなど、ランダムアクセスチャネル送信、またはサウンディング基準信号（ＳＲＳ：sounding reference signal）など、基準信号、または別のアップリンクチャネルを含み得る。
【００４７】
[0058]本開示の別の態様では、小型セルは、小型セルからの新キャリアタイプ（ＮＣＴ）ダウンリンク送信を使用するためにアクティブ化され得る。新キャリアタイプは、共通基準信号がすべてのサブフレーム中で送信されるとは限らず、１次同期信号（ＰＳＳ）、２次同期信号（ＳＳＳ）、物理ブロードキャストチャネル（ＰＢＣＨ：physical broadcast channel）など、他のオーバーヘッドチャネルの周波数が低減されることを指定する。（たとえば、ＮＣＴ構成に従って）低減された周期性でオーバーヘッド信号を送信することによって、オーバーヘッド信号汚染が低減され得る。
【００４８】
[0059]小型セルがアクティブ化されるとき、ＵＥは、マクロおよびピコｅノードＢがオールモストブランクサブフレームで構成されるときに、サブフレーム上の小型セルからの信号を測定するように構成され得る。さらに、ＵＥは、ｅノードＢからの信号を検出すること、小型セルを検出すること、測定を実行すること、測定値をネットワーク（たとえば、マクロまたはピコｅノードＢなどのサービングセル）に報告すること、またはそれらの組合せを行うために、干渉消去を使用し得る。
【００４９】
[0060]図８に、小型セルアクティブ化プロシージャのための例示的なコールフロー図を示す。一構成では、ドナーｅノードＢ８３０は、無線リソース管理（ＲＲＭ：radio resource management）サーバ８０５を含むか、またはそれに結合され得る。図８に示すように、時間Ｔ１において、ドナーｅノードＢ８３０はアクティブ化パラメータで小型セル８１０を構成する。たとえば、小型セル８１０は、ＵＥ８２０をどこで探索するかを通知され得る。アクティブ化パラメータは、物理ランダムアクセスチャネル（ＰＲＡＣＨ）シグネチャシーケンス空間、時間／周波数リソースまたは他のアップリンク送信信号パラメータを示し得る。アクティブ化パラメータは、小型セルに固有のオフセットをも含み得る。オフセットをもつオーバーヘッド信号を送信することによって、ＵＥは、異なる小型セルからの送信を区別することができる。別の構成では、オフセットがないか、またはすべての小型セルが同じオフセットを有する。
【００５０】
[0061]時間Ｔ２において、アクティブ化パラメータに基づいて新キャリアタイプ（ＮＣＴ）を送信するために小型セル８１０をアクティブ化する。たとえば、アクティブ化パラメータは、低減された周期性でダウンリンクオーバーヘッド信号を送信するように小型セル８１０を構成し得る。無線状態が満たされる場合、たとえば、無線状態が良好な場合、周期性は低減され得る。ダウンリンクオーバーヘッド信号は、１次同期信号（ＰＳＳ）および２次同期信号（ＳＳＳ）など、同期信号、物理ブロードキャストチャネル（ＰＢＣＨ）など、ブロードキャストチャネル信号、またはそれらの組合せを含み得る。アクティブ化パラメータで構成された後に、小型セル８１０はダウンリンク信号を送信し得る（図示せず）。したがって、ＵＥ８２０は小型セル８１０を検出することができる。
【００５１】
[0062]さらに、時間Ｔ３において、小型セル８１０からのダウンリンク送信を測定するようにＵＥ８２０を構成する。すなわち、ＵＥ８２０は、小型セルの周期性とオフセット構成とを認識している。一構成では、ＵＥ８２０は、（たとえば、測定のためにｎ個のサブフレームのうちの１つを使用して）制限付きリソース測定値で構成され得る。小型セルからのダウンリンク送信を検出すると、時間Ｔ４において、ＵＥ８２０は測定値をネットワークに送信する。最後に、時間Ｔ５において、ドナーｅノードＢ８３０は、ＵＥから受信された測定値に基づいて小型セル８１０をアクティブ化する。
【００５２】
[0063]図８に示すように、時間Ｔ１において、ドナーｅノードＢは小型セルアクティブ化プロシージャを定義し得る。アクティブ化プロシージャは、ＵＥの近接検出に依拠することも依拠しないこともある。一構成では、Ｎ個のサブフレームおよび新キャリアタイプ（ＮＣＴ）がリソース制限付き測定値のために指定され得る。別の構成では、ピコセルのためのオールモストブランクサブフレーム（ＡＢＳ：almost blank subframe）が指定され得る。現在、オールモストブランクサブフレームはピコセルのために指定されていない。
【００５３】
[0064]また別の構成では、共通基準信号（ＣＲＳ）がすべてのサブフレーム中に存在するとは限らない場合、新ＬＴＥキャリアタイプが指定され得る。さらにまた別の構成では、高密度小型セル展開に対処するために、チャネル状態情報基準信号（ＣＳＩ−ＲＳ：channel state information reference signal）ポートのためのフレキシブルな構成が指定され得る。高密度小型セル展開は、多数のアクティブ小型セルが小さい地理的エリアに存在するシナリオを指し得る。高密度展開における小型セルは、ＵＥがこれらの小型セルを検出することを可能にするために、マクロ／ピコオールモストブランクサブフレーム中にＣＲＳ／ＣＳＩ−ＲＳを送信するように構成され得る。
【００５４】
[0065]小型セルは、オーバーヘッド信号を送信するように構成され得る。一構成では、オーバーヘッド信号は、サブフレーム０／５など、特定のサブフレーム中で送信され得る。別の構成では、オーバーヘッド信号はより低いデューティサイクルで送信される。小型セルは、オーバーヘッド信号がより低いデューティサイクルで送信されるように、新キャリアタイプモードで動作し得る。一構成では、共通基準信号またはチャネル状態情報基準信号など、基準信号の送信は、複数の測定インスタンス（たとえば、４０ｍｓごとに離間された、２００ｍｓ中の５つのバースト）にまたがり得る。
【００５５】
[0066]一般に、各小型セルは、構成可能な周期性でオーバーヘッド信号または基準信号を送信し得る。すなわち、各小型セルは別個の構成を有し得る。オーバーヘッド信号および基準信号の周期性は、ＬＴＥリリース１１のスケジュールなど、典型的なＬＴＥスケジュールと比較して低減され得る。一構成によれば、擬似ランダム送信がオーバーヘッド信号または基準信号の送信のために指定され得る。
【００５６】
[0067]一構成では、小型セルアクティブ化はネットワーク制御され得る。すなわち、図８に示すように、ＵＥは、小型セルを検出し、測定値をドナーｅノードＢに報告し得る。ドナーｅノードＢは、１つまたは複数のＵＥから受信された報告に基づいて特定の小型セルをアクティブ化し得る。さらに、別の構成では、小型セルアクティブ化は自律的であり得る。
【００５７】
[0068]図９に、本開示の一態様による、ＵＥ送信を使用した自律的小型セルアクティブ化プロシージャを定義するための例示的なコールフロー図を示す。図９に示されているように、一構成では、ドナーｅノードＢ９３０は無線リソース管理（ＲＲＭ）サーバ９０５を含み得る。別の構成では、ドナーｅノードＢ９３０はＲＲＭサーバ９０５に結合され得る。時間Ｔ１において、ドナーｅノードＢ９３０はアクティブ化パラメータで小型セル９１０を構成する。アクティブ化パラメータはＵＥ９２０の物理アップリンク送信を示し得る。詳細には、小型セル９１０は、物理アップリンク送信に含まれるアクティブ化パラメータを使用してＵＥの近接を検出し得る。物理アップリンク送信は、物理ランダムアクセスチャネルシグネチャシーケンスなど、ランダムアクセスチャネル送信、またはサウンディング基準信号など、基準信号を含み得る。
【００５８】
[0069]一構成では、ドナーｅノードＢ９３０は、物理アップリンクチャネル上で送信するようにＵＥ９２０をトリガし得る。たとえば、時間Ｔ２において、ドナーｅノードＢ９３０は、ＵＥ９２０からのランダムアクセスチャネル送信または基準信号送信をトリガするために、物理ダウンリンク制御チャネル（ＰＤＣＣＨ：physical downlink control channel）命令など、制御チャネル命令を送信する。代替的に、アップリンク送信は半静的に構成され得る。
【００５９】
[0070]アップリンクトリガまたは半静的構成を受信したことに応答して、時間Ｔ３において、ＵＥ９２０は、ランダムアクセスチャネル送信または基準信号送信など、信号を送信する。時間Ｔ４において、小型セル９１０はＵＥからのアップリンク送信を検出する。アップリンク送信が、アクティブ化パラメータ中で与えられたアップリンクしきい値などのしきい値を満たす場合、小型セル９１０は自律的アクティブ化を初期化し得る。一構成では、小型セル９１０は、低減された周期性でアクティブ化され得る。別の構成では、小型セル９１０は新キャリアタイプの低減された周期性でアクティブ化され得る。
【００６０】
[0071]別の構成によれば、ＵＥは、ランダムアクセスチャネルシグネチャシーケンスを送信するだけであり、ランダムアクセスプロシージャを続けない。すなわち、ＵＥは、ドナーｅノードＢからのランダムアクセス応答を監視しない。これは、送信が周期的であるように（たとえば、周期的なランダムアクセスチャネルベースのサウンディング）、ダウンリンク制御チャネル命令などのアップリンクトリガを用いて、またはアップリンクトリガなしに達成され得る。別の構成によれば、ドナーｅノードＢは、ＵＥからランダムアクセスチャネル送信を受信したことに応答して、典型的なランダムアクセスチャネルプロシージャを続けない。ランダムアクセスチャネル送信は、ランダムアクセスチャネル送信をトリガしたサービングセルのほうへ、全送信電力でまたは電力制御アルゴリズムによって判断された電力レベルで送信され得る。
【００６１】
[0072]たとえば、図９において、前に説明したように、ドナーｅノードＢ９３０は、ＵＥ９２０からのランダムアクセスチャネル送信または基準信号送信をトリガするために、制御チャネル命令を送信し得る。アップリンクトリガまたは半静的構成を受信したことに応答して、時間Ｔ３において、ＵＥ９２０は、ランダムアクセスチャネル送信または基準信号送信など、信号を送信する。一構成では、ＵＥ９２０のランダムアクセスチャネル送信は、ドナーｅノードＢ９３０において典型的なランダムアクセスチャネルプロシージャをトリガしない。
【００６２】
[0073]図１０に、本開示の一態様による、自律的小型セルアクティブ化プロシージャを定義するための例示的なコールフロー図を示す。図１０に示されているように、ドナーｅノードＢ１０３０は、無線リソース管理サーバ１００５を含むか、またはそれに結合され得る。時間Ｔ１において、ドナーｅノードＢ１０３０はアクティブ化パラメータで小型セル１０１０を構成する。アクティブ化パラメータは、ランダムアクセスチャネル送信または基準信号送信など、ＵＥ１０２０の物理アップリンク送信を示し得る。詳細には、小型セル１０１０は、物理アップリンク送信に含まれるアクティブ化パラメータを使用してＵＥの近接を検出し得る。
【００６３】
[0074]一構成では、ドナーｅノードＢ１０３０は、物理アップリンクチャネル上で送信するようにＵＥ１０２０をトリガし得る。たとえば、時間Ｔ２において、ドナーｅノードＢ１０３０は、ＵＥ１０２０からのＰＲＡＣＨシグネチャシーケンスなどのシグネチャシーケンス、またはＳＲＳなどの基準信号の送信をトリガするために、ＰＤＣＣＨ命令などの制御チャネル命令を送信する。代替的に、アップリンク送信は半静的に構成され得る。
【００６４】
[0075]アップリンクトリガまたは半静的構成を受信したことに応答して、時間Ｔ３において、ＵＥ１０２０は、物理チャネル上でシグネチャシーケンスまたは基準信号など、信号を送信する。時間Ｔ４において、小型セル１０１０はＵＥからの送信を検出する。ＵＥ１０２０からのアップリンク送信が、アクティブ化パラメータ中で与えられたアップリンクしきい値など、しきい値に等しいかまたはそれよりも大きい場合、小型セル１０１０は自律的アクティブ化を開始し得る。一構成では、小型セル１０１０は第１の低減された周期性でアクティブ化される。別の構成では、小型セル１０１０はまた、新キャリアタイプでアクティブ化され得る。
【００６５】
[0076]さらに、時間Ｔ５において、低減された周期性でアクティブ化された後に、小型セル１０１０はネットワークアクティブ化を開始する。詳細には、小型セル１０１０はアクティブ化要求をドナーｅノードＢ１０３０に送信し得る。アクティブ化要求は、ＵＥからのアップリンク送信の検出された測定値を含み得る。アクティブ化要求を受信したことに応答して、時間Ｔ６において、ドナーｅノードＢ１０３０はアクティブ化許可を小型セル１０１０に送信する。時間Ｔ７において、アクティブ化許可は第２の周期性で小型セルをアクティブ化する。第２の周期性は完全周期性であり得る。一構成によれば、小型セル１０１０は、時間Ｔ４におけるアクティブ化をバイパスし、時間Ｔ５におけるネットワークアクティブ化に進み得る。
【００６６】
[0077]上記で説明したように、本開示の一態様によれば、ドナーｅノードＢは、特定のアクティブ化パラメータを検出するように小型セルを構成し得る。アクティブ化パラメータは、小型セルがＵＥの近接を検出することを可能にし得る。これらのパラメータは、ランダムアクセスチャネル送信、時間／周波数リソース、基準信号、または他のアップリンク送信を含み得る。物理ランダムアクセスチャネルパラメータなど、ランダムアクセスチャネル送信パラメータの場合、小型セルは、サービングセルの物理ランダムアクセスチャネル構成に基づいて構成され得る。さらに、一構成では、小型セルはまた、１つまたは複数の近隣セルの物理ランダムアクセスチャネル構成に基づいて構成され得る。アクティブ化パラメータはしきい値をも含み得る。たとえば、しきい値は最小信号強度を含み得る。すなわち、ＵＥの検出された信号強度がしきい値を上回ったとき、ＵＥは小型セルから特定の距離内にあるので、小型セルはアクティブ化され得る。別の構成では、しきい値は干渉しきい値を含み得る。
【００６７】
[0078]図９および図１０に示されているように、ドナーｅノードＢは、シグネチャシーケンス、時間リソース、周波数リソース、またはそれらの組合せの予約済みセットをアップリンク信号を介して送信するようにＵＥを動的にトリガし得る。トリガリングは、データ負荷または無線状態など、ドナーｅノードＢによって観測される基準に基づき得る。たとえば、ドナーｅノードＢは、高いダウンリンクデータ負荷の場合およびネットワークがロードされるときにのみＵＥのためのアップリンクトリガを送信し得る。代替的に、ドナーｅノードＢは、ネットワークセットアップ中にアップリンク送信のための周期的トリガまたはイベントベースのトリガを半静的に構成し得る。
【００６８】
[0079]一構成では、ネットワークは、小型セルからアクティブ化要求を受信したことに応答して、アクティブ化許可を送信し得る。この構成では、ＲＲＭサーバは、小型セルのグループが同じＵＥを検出したと判断し得る。一般に、同じＵＥのために複数の小型セルがアクティブ化されない。したがって、ＲＲＭサーバは、アクティブ化許可を調整するために、アクティブ化要求を近隣ドナーｅノードＢに関連する他のＲＲＭサーバに送信し得る。代替的に、別の構成によれば、１つのＲＲＭサーバが複数のドナーｅノードＢに関連し得、したがって、ＲＲＭサーバは他のＲＲＭサーバと協調しない。小型セルは、アクティブ化許可を受信した後にアクティブになり、電力ランプアッププロシージャを開始し得る。
【００６９】
[0080]小型セルのアクティブ化の際、小型セルは、ドナーｅノードＢによって使用されたオーバーヘッド信号とは異なるオーバーヘッド信号を送信するように構成され得る。別の構成では、小型セルによって使用されたオーバーヘッド信号は、ドナーｅノードＢによって使用されたオーバーヘッド信号と同じであり得る。小型セルによって使用されたオーバーヘッド信号が、ドナーｅノードＢのオーバーヘッド信号と同じであるとき、小型セルはドナーｅノードＢと同じセルのように見え得る。さらに、オーバーヘッド信号がｅノードＢのオーバーヘッド信号とは異なるとき、小型セルは異なるセルのように見え得る。さらに、小型セルのオーバーヘッド信号とｅノードＢのオーバーヘッド信号とが同じであるとき、小型セルは一意のグローバルセルＩＤを有し得る。代替的に、小型セルは、ドナーｅノードＢのグローバルセルＩＤと同じであるグローバルセルＩＤを有し得る。さらに、小型セルは、異なる構成されたアンテナポートを有し得る。後者のシナリオでは、小型セルはドナーｅノードＢの拡張のように見え得る。一構成では、一意のＣＳＩ−ＲＳポート（たとえば、ドナーｅノードＢおよび近隣ＵＥ小型セルとは異なるＣＳＩポート）が、無線リソース管理およびチャネル状態情報フィードバックのために構成され得る。ＣＳＩ−ＲＳ送信が小型セルごとに異なるように構成される場合、リソースが衝突する可能性は低くなる。
【００７０】
[0081]前に説明したように、一構成によれば、ネットワークがアクティブ化パラメータで小型セル局を構成し得る。アクティブ化パラメータは、ＵＥを検出するためのアップリンクパラメータを含み得る。別の構成では、アクティブ化パラメータは、信号強度、干渉、または、それらの組合せがしきい値内にあるかどうかを判断するためのダウンリンク無線状態など、ダウンリンクパラメータを含み得る。すなわち、ダウンリンクパラメータは、基準信号受信電力（ＲＳＲＰ：reference signal received power）、基準信号受信品質（ＲＳＲＱ：reference signal received quality）、または信号対干渉プラス雑音比（ＳＩＮＲ：signal to interference plus noise ratio）を含み得る。小型セルは、ダウンリンクパラメータがしきい値を満たすときにアクティブ化され得る。一構成では、アクティブ化パラメータはダウンリンクパラメータのみを含み得る。代替的に、アクティブ化パラメータは、ダウンリンクパラメータとアップリンクパラメータの両方を含み得る。
【００７１】
[0082]さらに、別の構成では、ネットワークは、低減された周期性およびサブフレーム／リソースブロックオフセット、Ｏ＿ｔｆ＿１をもつダウンリンクオーバーヘッド信号を送信するように小型セル局を構成し得る。一構成では、低減された周期性は無限大であり得る。すなわち、低減された周期性は事実上０送信に等しくなり得る。ダウンリンクオーバーヘッド信号は、１次同期信号、２次同期信号、物理ブロードキャストチャネル、またはそれらの組合せを含み得る。
【００７２】
[0083]前に説明したように、ＵＥは、送信されたダウンリンクオーバーヘッド信号を検出し得、検出された測定値をドナーｅノードＢに送信し得る。一構成では、小型セルは新キャリアタイプを使用し得る。さらに、別の構成では、小型セルがＵＥを検出しない場合でも、小型セルはダウンリンクオーバーヘッド信号を送信し得る。また別の構成では、多くの小型セルがＵＥによって検出され得るので、各小型セルは、小型セルを区別するために異なるオフセットを有し得る。
【００７３】
[0084]その上、さらにまた別の構成では、小型セルのオーバーヘッド信号送信は、時間／周波数追跡に対する単一周波数ネットワーク（ＳＦＮ：single frequency network）効果を取得するために、ドナーｅノードＢのオーバーヘッド信号送信と同じであり得る。この場合、オフセットは、すべての小型セルに対して同じである。代替的に、小型セルのオーバーヘッド信号送信はドナーｅノードＢのオーバーヘッド信号送信とは異なり得る。一構成では、ＣＳＩ−ＲＳ送信が小型セルのために構成されるとき、オーバーヘッド信号送信は小型セル局ごとに異なり得る。さらに、一構成では、干渉測定報告（ＩＭＲ：interference measurement report）リソースも小型セル局ごとに異なり得る。
【００７４】
[0085]その上、一構成では、ＵＥは、小型セルからのダウンリンク送信を測定するように構成され得る。小型セルが、そのようなオフセットをもつ低減された送信のために構成された場合、ＵＥは、送信周期性およびオフセットに気づき得る。さらに、ＵＥは制限付き測定値で構成され得る。すなわち、たとえば、ＵＥは、ダウンリンク送信測定のためにｎ個のサブフレームの中から１つのサブフレームを使用するように構成され得る。
【００７５】
[0086]図９および図１０に示されているように、時間Ｔ２において、ドナーｅノードＢは、アップリンクサウンディング目的のためにＵＥからのアップリンク送信を動的にまたは半静的にトリガする。さらに、時間Ｔ３において、ＵＥは、ドナーｅノードＢによって構成された／トリガされたアップリンク信号を送信する。さらに、時間Ｔ４において、小型セルがアップリンク送信を検出した場合、小型セルは、それの周期性およびオフセットを変更する。たとえば、オフセットはＯ＿ｔｆ＿２であり得、周期性は無限大であり得る。すなわち、周期性は事実上０送信に等しくなり得る。一構成では、時間Ｔ４の周期性およびオフセットの変更は、図８のコールフローにおいて随意であり得る。別の構成では、小型セルは、ＵＥからのアップリンク送信を検出すると、自律的にアクティブになり得る。
【００７６】
[0087]図１０に示されているように、一構成では、時間Ｔ５において、小型セルが、ＵＥからのアップリンク信号を検出したとき、小型セルは、アクティブ化要求をドナーｅノードＢまたは無線リソース管理サーバに送信する。アクティブ化要求は、ランダムアクセスチャネル送信または基準信号など、測定対象を含むアップリンク信号測定報告を含み得る。アクティブ化要求は、選択解除されたシーケンス、信号強度、および信号品質（たとえば、ＳＮＩＲ）など、他の測定属性をも含み得る。
【００７７】
[0088]その上、時間Ｔ６において、小型セルはアクティブ化許可を受信する。アクティブ化許可は、更新されたダウンリンク送信パラメータを含み得る。ＲＲＭサーバは、小型セルのグループが同じＵＥを検出したと判断し得る。したがって、ＲＲＭサーバは、アクティブ化許可を調整するために、アクティブ化要求情報を近隣ドナーｅノードＢに関連する他のＲＲＭサーバに送信し得る。代替的に、１つのＲＲＭサーバが複数のドナーｅノードＢに関連し得、したがって、ＲＲＭサーバは他のＲＲＭサーバと協調しないことがある。
【００７８】
[0089]別の構成では、時間Ｔ７において、小型セルはアクティブ化プロセスに自律的に進む。詳細には、時間Ｔ１において構成されたアクティブ化基準が満たされる場合、小型セルはアクティブ化プロセスに自律的に進む。さらに、時間Ｔ７において、小型セルはそれの周期性およびオフセットを変更する。たとえば、オフセットは、Ｏ＿ｔｆ＿３に変更され得、周期性は非無限値であり得る。すなわち、非無限周期性に基づいて、小型セルはダウンリンクアクティビティを有し得る。
【００７９】
[0090]図１１に、小型セルをアクティブ化するための方法１１００を示す。ブロック１１０２において、基地局はアクティブ化パラメータで小型セルを構成する。アクティブ化パラメータは、新キャリアタイプと同様に、低減された周期性を含むことができる。ブロック１１０４において、基地局は時間制限付き測定値でＵＥを構成する。時間制限付き測定値は、新キャリアタイプと低減された周期性とに対応し得る。さらに、ブロック１１０６において、基地局はＵＥから小型セル信号測定値を受信する。最後に、ブロック１１０８において、基地局は、小型セル信号測定値に応答してアクティブ化シーケンスを開始する。
【００８０】
[0091]一構成では、ｅノードＢ６１０は、構成するための手段を含むワイヤレス通信のために構成される。一態様では、構成手段は、構成手段によって具陳された機能を実行するように構成された、コントローラ／プロセッサ６７５、メモリ６７６、送信プロセッサ６１６、変調器６１８および／またはアンテナ６２０を含み得る。ｅノードＢ６１０はまた、受信するための手段を含むように構成される。一態様では、受信手段は、受信手段によって具陳される機能を実行するように構成された受信プロセッサ６７０、復調器６１８、コントローラ／プロセッサ６７５、および／またはアンテナ６２０を含み得る。ｅノードＢ６１０はまた、開始するための手段を含むように構成される。一態様では、開始手段は、開始手段によって具陳された機能を実行するように構成された、コントローラ／プロセッサ６７５、メモリ６７６、送信プロセッサ６１６、変調器６１８、および／またはアンテナ６２０を含み得る。別の態様では、上述の手段は、上述の手段によって具陳された機能を実行するように構成された任意のモジュールまたは任意の装置であり得る。
【００８１】
[0092]図１２は、処理システム１２１４を採用する装置１２００のための実装形態（たとえば、ハードウェア実装形態）の一例を示す図である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２２２によって表される１つまたは複数のプロセッサおよび／またはモジュール（たとえば、ハードウェアモジュール）と、モジュール１２０２、１２０４、１２０６と、コンピュータ可読媒体１２２６とを含む様々なモジュール／回路を互いにリンクする。バス１２２４はまた、タイミングソース、周辺機器、電圧調整器、および電力管理回路など、様々な他のモジュール／回路をリンクし得るが、これらのモジュール／回路は当技術分野においてよく知られており、したがって、これ以上説明しない。
【００８２】
[0093]本装置は、トランシーバ１２３０に結合された処理システム１２１４を含む。トランシーバ１２３０は、１つまたは複数のアンテナ１２２０に結合される。トランシーバ１２３０は、伝送媒体を介して様々な他の装置と通信することを可能にする。処理システム１２１４は、コンピュータ可読媒体１２２６に結合されたプロセッサ１２２２を含む。プロセッサ１２２２は、コンピュータ可読媒体１２２６に記憶されたソフトウェアの実行を含む一般的な処理を担当する。ソフトウェアは、プロセッサ１２２２によって実行されたとき、処理システム１２１４に、いずれかの特定の装置について説明する様々な機能を実行させる。コンピュータ可読媒体１２２６はまた、ソフトウェアを実行するときにプロセッサ１２２２によって操作されるデータを記憶するために使用され得る。
【００８３】
[0094]処理システム１２１４は、アクティブ化パラメータで小型セルを構成するための構成モジュール１２０２を含み、アクティブ化パラメータは、新キャリアタイプなどとともに、低減された周期性を含む。構成モジュール１２０２はまた、時間制限付き測定値でＵＥを構成し得、時間制限付き測定値は、新キャリアタイプと低減された周期性とに対応する。処理システム１２１４は、ＵＥから小型セル信号測定値を受信するための受信モジュール１２０４をも含む。処理システム１２１４は、小型セル信号測定値に応答してアクティブ化シーケンスを開始するためのアクティブ化モジュール１２０６をさらに含み得る。それらのモジュールは、プロセッサ１２２２中で動作し、コンピュータ可読媒体１２２６中に常駐する／記憶された、ソフトウェアモジュールであるか、プロセッサ１２２２に結合された１つまたは複数のハードウェアモジュールであるか、またはそれらの何らかの組合せであり得る。処理システム１２１４は、ｅノードＢ６１０の構成要素であり得、メモリ６７６および／またはコントローラ／プロセッサ６７５を含み得る。
【００８４】
[0095]さらに、本明細書の開示に関して説明した様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８５】
[0096]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８６】
[0097]本明細書の開示に関して説明した方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８７】
[0098] １つまたは複数の例示的な設計では、説明した機能は、ハードウェア、ソフトウェア、またはそれらの組合せで実装され得る。ソフトウェアで実装される場合、機能は、１つまたは複数の命令またはコードとして符号化され、コンピュータ可読媒体上に記憶されるか、あるいは１つまたは複数の命令またはコードとしてコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８８】
[0099]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
アクティブ化パラメータで小型セルを構成することであって、前記アクティブ化パラメータが、低減された周期性を有する新キャリアタイプを含む、構成することと、
時間制限付き測定値でユーザ機器（ＵＥ）を構成することであって、前記時間制限付き測定値が前記新キャリアタイプと前記低減された周期性とに対応する、構成することと、
前記ＵＥから小型セル信号測定値を受信することと、
前記小型セル信号測定値に応答してアクティブ化シーケンスを開始することと
を備える、ワイヤレス通信の方法。
［Ｃ２］
前記アクティブ化パラメータが、
前記低減された周期性をもつオーバーヘッド信号、前記低減された周期性をもつ基準信号、またはそれらの組合せ
のうちの１つまたは複数を構成する、Ｃ１に記載の方法。
［Ｃ３］
前記オーバーヘッド信号が、ドナーｅノードＢからのオーバーヘッド信号と重複するように構成された、Ｃ２に記載の方法。
［Ｃ４］
前記基準信号が、小型セルごとに別様に構成された、Ｃ２に記載の方法。
［Ｃ５］
アクティブ化パラメータを受信することと、
前記アクティブ化パラメータに少なくとも部分的に基づいてアクティブユーザ機器（ＵＥ）の近接を検出することと、
新キャリアタイプでアクティブ化することと
を備える、ワイヤレス通信の方法。
［Ｃ６］
前記アクティブＵＥが検出されたときにアクティブ化要求を送信することをさらに備える、Ｃ５に記載の方法。
［Ｃ７］
更新されたダウンリンク送信パラメータをもつアクティブ化許可を受信することと、
前記更新されたダウンリンク送信パラメータでアクティブ化することと
をさらに備える、Ｃ６に記載の方法。
［Ｃ８］
前記アクティブ化することが、低減された周期性でアクティブ化することをさらに備える、Ｃ５に記載の方法。
［Ｃ９］
前記近接を検出することが、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することを備える、Ｃ５に記載の方法。
［Ｃ１０］
メモリと、
前記メモリに結合された少なくとも１つのプロセッサと
を備える、ワイヤレス通信のための装置であって、前記少なくとも１つのプロセッサは、
アクティブ化パラメータで小型セルを構成することであって、前記アクティブ化パラメータが、低減された周期性を有する新キャリアタイプを含む、構成することと、
時間制限付き測定値でユーザ機器（ＵＥ）を構成することであって、前記時間制限付き測定値が前記新キャリアタイプと前記低減された周期性とに対応する、構成することと、
前記ＵＥから小型セル信号測定値を受信することと、
前記小型セル信号測定値に応答してアクティブ化シーケンスを開始することと
を行うように構成された、
装置。
［Ｃ１１］
前記アクティブ化パラメータが、前記低減された周期性をもつオーバーヘッド信号、前記低減された周期性をもつ基準信号、またはそれらの組合せのうちの１つまたは複数を構成する、Ｃ１０に記載の装置。
［Ｃ１２］
前記オーバーヘッド信号が、ドナーｅノードＢからのオーバーヘッド信号と重複するように構成された、Ｃ１１に記載の装置。
［Ｃ１３］
前記基準信号が、小型セルごとに別様に構成された、Ｃ１１に記載の装置。
［Ｃ１４］
メモリと、
前記メモリに結合された少なくとも１つのプロセッサと
を備える、ワイヤレス通信のための装置であって、前記少なくとも１つのプロセッサが、
アクティブ化パラメータを受信することと、
前記アクティブ化パラメータに少なくとも部分的に基づいてアクティブユーザ機器（ＵＥ）の近接を検出することと、
新キャリアタイプでアクティブ化することと
を行うように構成された、
装置。
［Ｃ１５］
前記少なくとも１つのプロセッサは、前記アクティブＵＥが検出されたときにアクティブ化要求を送信するようにさらに構成された、Ｃ１４に記載の装置。
［Ｃ１６］
前記少なくとも１つのプロセッサが、
更新されたダウンリンク送信パラメータをもつアクティブ化許可を受信することと、
前記更新されたダウンリンク送信パラメータでアクティブ化することと
を行うようにさらに構成された、Ｃ１５に記載の装置。
［Ｃ１７］
前記少なくとも１つのプロセッサが、低減された周期性でアクティブ化するようにさらに構成された、Ｃ１４に記載の装置。
［Ｃ１８］
前記少なくとも１つのプロセッサは、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することによって、前記近接を検出するようにさらに構成された、Ｃ１４に記載の装置。
［Ｃ１９］
アクティブ化パラメータで小型セルを構成するための手段であって、前記アクティブ化パラメータが、低減された周期性を有する新キャリアタイプを含む、構成するための手段と、
時間制限付き測定値でユーザ機器（ＵＥ）を構成するための手段であって、前記時間制限付き測定値が前記新キャリアタイプと前記低減された周期性とに対応する、構成するための手段と、
前記ＵＥから小型セル信号測定値を受信するための手段と、
前記小型セル信号測定値に応答してアクティブ化シーケンスを開始するための手段と
を備える、ワイヤレス通信のための装置。
［Ｃ２０］
前記アクティブ化パラメータが、前記低減された周期性をもつオーバーヘッド信号、前記低減された周期性をもつ基準信号、またはそれらの組合せのうちの１つまたは複数を構成する、Ｃ１９に記載の装置。
［Ｃ２１］
前記オーバーヘッド信号が、ドナーｅノードＢからのオーバーヘッド信号と重複するように構成された、Ｃ２０に記載の装置。
［Ｃ２２］
前記基準信号が、小型セルごとに別様に構成された、Ｃ２０に記載の装置。
［Ｃ２３］
アクティブ化パラメータを受信するための手段と、
前記アクティブ化パラメータに少なくとも部分的に基づいてアクティブユーザ機器（ＵＥ）の近接を検出するための手段と、
新キャリアタイプでアクティブ化するための手段と
を備える、ワイヤレス通信のための装置。
［Ｃ２４］
前記アクティブＵＥが検出されたときにアクティブ化要求を送信するための手段をさらに備える、Ｃ２３に記載の装置。
［Ｃ２５］
更新されたダウンリンク送信パラメータをもつアクティブ化許可を受信するための手段と、
前記更新されたダウンリンク送信パラメータでアクティブ化するための手段と
をさらに備える、Ｃ２４に記載の装置。
［Ｃ２６］
前記アクティブ化することが、低減された周期性でアクティブ化することをさらに備える、Ｃ２３に記載の装置。
［Ｃ２７］
前記近接を検出することは、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することを備える、Ｃ２３に記載の装置。
［Ｃ２８］
ワイヤレス通信のためのコンピュータプログラム製品であって、前記コンピュータプログラム製品が、
プログラムコードを記録した非一時的コンピュータ可読媒体を備え、前記プログラムコードは、
アクティブ化パラメータで小型セルを構成するためのプログラムコードであって、前記アクティブ化パラメータが、低減された周期性を有する新キャリアタイプを含む、構成するためのプログラムコードと、
時間制限付き測定値でユーザ機器（ＵＥ）を構成するためのプログラムコードであって、前記時間制限付き測定値が前記新キャリアタイプと前記低減された周期性とに対応する、構成するためのプログラムコードと、
前記ＵＥから小型セル信号測定値を受信するためのプログラムコードと、
前記小型セル信号測定値に応答してアクティブ化シーケンスを開始するためのプログラムコードと
を備える、
コンピュータプログラム製品。
［Ｃ２９］
ワイヤレス通信のためのコンピュータプログラム製品であって、前記コンピュータプログラム製品が、
プログラムコードを記録した非一時的コンピュータ可読媒体を備え、前記プログラムコードが、
アクティブ化パラメータを受信するためのプログラムコードと、
前記アクティブ化パラメータに少なくとも部分的に基づいてアクティブユーザ機器（ＵＥ）の近接を検出するためのプログラムコードと、
新キャリアタイプでアクティブ化するためのプログラムコードと
を備える、
コンピュータプログラム製品。
【図１】
0005944576.tif 000002
【図２】
0005944576.tif 000003
【図３】
0005944576.tif 000004
【図４】
0005944576.tif 000005
【図５】
0005944576.tif 000006
【図６】
0005944576.tif 000007
【図７】
0005944576.tif 000008
【図８】
0005944576.tif 000009
【図９】
0005944576.tif 000010
【図１０】
0005944576.tif 000011
【図１１】
0005944576.tif 000012
【図１２】
0005944576.tif 000013